(57)【要約】      （修正有）【課題】空気調和機に装飾部品を取り付けた場合に、係止部の係止爪および係止孔が視認され、係止孔の影によりそこの部分だけ汚れているように見えることで本来の意匠性を害するということを防止できる装飾部品の取付構造。【解決手段】空気調和機本体と、同空気調和機本体の前面に装着された前面側に段凹部を形成した前面パネル３と、同前面パネルに取付けられた開閉パネルにより外郭が構成され、前記前面パネルの段凹部には、装飾部品６が装着され、同装飾部品は、先端に外側に突出する係止片を形成した係止爪６３を備え、前記前面パネルの前記係止爪に対応する位置には、前記装飾部品の外形線に沿うように溝部３３が設けられ、同溝部に係止孔３２ａが穿孔されていることで、前記溝部の中に係止孔が埋め込まれるため係止孔が外から視認されなくなる。【選択図】図３
2010065956.tif 000002
【特許請求の範囲】
【請求項１】
空気調和機本体と、同空気調和機本体の前面に装着された前面側に段凹部を形成した前面パネルと、同前面パネルの段凹部に開閉自在に取付けられた開閉パネルとにより外郭が構成され、前記前面パネルの段凹部には、前記開閉パネルの外縁に沿って装飾部品が装着され、同装飾部品は、先端に外側に突出する係止片を形成した複数の係止爪を備え、前記前面パネルの段凹部の前記係止爪に対応する位置には、係止孔が穿孔され、同係止爪を前記係止孔に係止することによって、前記装飾部品を装着するようにしてなる空気調和機の装飾部品の取付構造において、
前記前面パネルの段凹部には、前記装飾部品の外形線に沿うように溝部が設けられ、同溝部に前記係止孔が穿孔されていることを特徴とする空気調和機の装飾部品の取付構造。
【発明の詳細な説明】
【技術分野】
【０００１】
本発明は、例えば空気調和機の室外ユニット等に適用される装飾部品の取付構造に関するものである。
【背景技術】
【０００２】
従来例として図４に示すように空気調和機の室内ユニット１００は、熱交換器や送風ファンを備える箱形の空気調和機本体２と、同空気調和機本体２の前面に装着された前面側に段凹部１３１を形成した前面パネル１３と、同前面パネル１３の段凹部１３１に開閉自在に取付けられた開閉パネル４と風向板５で外郭を構成している。
【０００３】
近年、空気調和機の室内ユニットは設置する室内のインテリアに馴染むデザインが好まれている。そのため本体色は室内の壁紙に使われている白色やベージュ色などの明度の高い色が多く、形態においては吸込桟や吹出口による凹凸や孔によって存在が目立ちインテリアに違和感を与えることがないように、図１に示すように本体前面側は吸込桟を設けずにフラットなパネル形状のモデルが多くなってきている。このモデルは主に運転時は図４（ａ）に示すように風向板５が開くとともに正面の開閉パネル４が開いて前面側吸込口７から空気を吸い込み、運転停止時は凹凸の無いフラットな形でインテリアに溶け込むデザインとなっている。さらに、このモデルは意匠性の高さにより空気調和機器メーカーにおいてカタログ、ＣＭ等で宣伝するフラグシップ機に多く採用されている。しかしフラットな形はスッキリとシンプルな反面、デザイン的な特徴が付けにくく、差別化を図るのが難しい。
【０００４】
これを解決する方法として、開閉パネル４に透明樹脂材等を用いたり、ウレタン塗装やカールフィット等の高級感ある表面処理を施して高級感を打ち出して差別化を図ったものがある。また、前面パネルの周囲にメッキ処理やメタリック塗装を施した装飾部品を添えて、メタリックの持つ高品質感をデザインに加えたものも多い。前記従来例の空気調和機の室内ユニット１００も、明度の高い本体色でシンプルな外観の中にデザインのアクセントとなるように前記前面パネル１３の段凹部１３１には、前記開閉パネル４の外縁に沿って、製品のネーミングやブランド名を刻印したグレー色の樹脂材の上にパール塗装を施した装飾部品部１６を装着して高級感を出したものである。（非特許文献１参照）
同装飾部品部１６は、図４（ｃ）および図５に示すように前記前面パネル１３に取り付けられる長尺でなる上部装飾部品１６１と、前記前面パネル１３の左右側に取り付けられる左右装飾部品１６２に分かれ、前記上部装飾部品１６１と前記左右装飾部品１６２の背面後方に先端が外側に突出する係止片１６ｃをもつ複数の係止爪１６３が間隔を開けて互い違いに配置され、前記前面パネル１３の段凹部１３１の前記係止爪１６ｃに対応する位置には係止孔１３２が穿設され、前記係止爪１６３を撓ませて同係止孔１３２に挿入し前記係止片１６ｃを前面パネル１３の裏面に係止させることで取り付けられる。
【０００５】
その場合、図１に示すように運転停止時に前記開閉パネル４が閉じた時に表面が面一となったデザインを得られるが、運転時に前記開閉パネル４が開くと、図４の（ａ）や（ｂ）に示すように前記係止片１６ｃが装飾部品１６の正面より外側に開いている分、前記係止孔１３２も装飾部品１６の外側まで穿孔されていることで視認され、明度の高い本体色の中で孔の影が部分的に暗く汚れているように見えて意匠性を損ねる結果となってしまう。
【０００６】
仮に、係止爪１６３を装飾部品１６の中央寄りに配置すれば問題は解決するが、装飾部品１６を成形する金型にスライド型が必要となりコストアップにつながる。
【非特許文献１】「ＦＵＪＩＴＳＵ  エアコン総合カタログ２００８・夏」、株式会社富士通ゼネラル、２００８年、中央見開きページ。
【発明の開示】
【発明が解決しようとする課題】
【０００７】
本発明は上記の点に鑑みなされたもので、空気調和機で、明度の高い本体色に明度の低い色の装飾部品を取り付けた場合に、係止部の係止爪および係止孔が視認され、係止孔の影によりそこの部分だけ汚れているように見えることで本来の意匠性を害するということを防止できる装飾部品の取付構造を提供することを目的とする。
【課題を解決するための手段】
【０００８】
本発明は、空気調和機本体と、同空気調和機本体の前面に装着された前面側に段凹部を形成した前面パネルと、同前面パネルの段凹部に開閉自在に取付けられた開閉パネルとにより外郭が構成され、前記前面パネルの段凹部には、前記開閉パネルの外縁に沿って装飾部品が装着され、同装飾部品は、先端に外側に突出する係止片を形成した複数の係止爪を備え、前記前面パネルの段凹部の前記係止爪に対応する位置には、係止孔が穿孔され、同係止爪を前記係止孔に係止することによって、前記装飾部品を装着するようにしてなる空気調和機の装飾部品の取付構造において、
前記前面パネルの段凹部には、前記装飾部品の外形線に沿うように溝部が設けられ、同溝部に前記係止孔が穿孔されていることで、前記溝部の中に係止孔が埋め込まれるため係止孔が外から視認されなくなる。
【発明の効果】
【０００９】
本発明によれば、空気調和機で明度の高い色の前面パネルに明度の低い色の装飾部品を係止爪で取り付ける際に、前記前面パネルに前記装飾部品の外形線に沿うように溝部を設け、同溝部に前記係止爪を受ける係止孔を設けたことで、前記溝部の中に係止孔が埋め込まれるため係止孔が外から視認されなくなり、係止孔の影によりそこの部分だけ汚れているように見えることで本来の意匠性を害するということを防止できる。
【発明を実施するための最良の形態】
【００１０】
以下、図を参照して本発明の実施の形態を詳細に説明する。図１は本発明に係る空気調和機の室内ユニットの斜視図であり、図２は本発明に係る空気調和機の室内ユニットの開閉パネルが開いた状態を示す図で（ａ）は斜視図、（ｂ）は（ａ）のＸ部拡大図で、（ｃ）は（ｂ）の装飾部品分解図であり、図３は図１のＡ−Ａ’拡大断面図である。なお、上述した従来例と同一の構成要素には同じ参照符号を用いている。
【００１１】
空気調和機の室内ユニット１は、熱交換器や送風ファンを備える箱形の空気調和機本体２と、空気調和機本体２の前面に装着された前面側に段差Ａでなる段凹部３１を形成した前面パネル３と、同前面パネル３の段凹部３１に下端を支点として開閉自在に取付けられた吸込桟の無いフラットな板状である開閉パネル４と、空気調和機本体２の下部に取り付けられた風向板５で外郭を構成し、運転停止時は図１に示すように開閉パネル４が閉じて前面パネル３と面一となって余計な凹凸の無いシンプルな形となり、運転時には図２の（ａ）に示すように風向板５が開くとともに前記開閉パネル４の上端が前方に傾いて前面パネル３に設けた前面側吸込口７から空気を吸い込む形態となる。また、本体色はインテリアに溶け込むように壁紙に合わせ白色やベージュ色などの明度の高い色となっている。
【００１２】
さらに外観にシンプルなデザインのアクセントとなり、高級感や高品質感を持たせるために、前記前面パネル３の段凹部３１には、前記開閉パネル４の外縁に沿って、製品のネーミングやブランド名を刻印した本体色より明度の低いグレー色の樹脂材の上にパール塗装を施した装飾部品部６を備える。
【００１３】
同装飾部品６は前記開閉パネル４の外縁に沿わせて配設するため、そのままの形で一体成形すると成形金型が高額となり部品のコストアップに繋がり、また部品の取り扱いも煩雑になるため、図２の（ｃ）に示すように前記前面パネル３の上方に取り付けられる長尺の上部装飾部品６１と、前記前面パネル４の左右側に取り付けられる左右装飾部品６２に分かれている。上部装飾部品６１の長手方向は前記開閉パネル４の幅と略同じ長さであり、短尺側の幅は約１ｃｍと短く、正面の装飾面６ａは平滑面であり、一端に製品のネーミングが刻印されている。
【００１４】
また図３で示すように上部装飾部品６１の背面後方に係止脚６ｂと、係止脚６ｂの突端から外側に突出した係止片６ｃからなる係止爪６３を備えており、同係止爪６３の横幅Ｂは１０ｍｍ程度であり、開閉パネル側と対面側それぞれ互い違いに間隔Ｃを開けて複数配置されている。さらに同係止爪６３は開閉パネル側の係止爪６３ａが対面側の係止爪６３ｂより長くなっている。
【００１５】
また前記左右装飾部品６２も同様の構成となっている。
【００１６】
前記前面パネル３には、前記開閉パネル４の厚さ分が段差Ｄとなり背面側に向かい段落ちさせて前記段凹部３１が形成されている。同段凹部３１には、前記対面側係止爪６３ｂの取付位置に合わせ係止孔３２ｂを穿設している。また、前記開閉パネル側の係止爪６３ａに対応した位置では、平坦な面に前記装飾部品６の形状に沿って前記係止片６ｃの高さＥと同等の幅Ｅ’で深さＦ約２．５ｍｍの溝３３が設けられており、同溝３３の中深くに係止爪６３ａに合わせた係止孔３２ａが設けられている。
【００１７】
前記上部装飾部品６１を前記前面パネル３に係止する際は、先に前記上部装飾部品６１の係止爪６３を撓ませて前記係止孔３２ａおよび前記係止孔３２ｂに挿入する。その場合開閉パネル側係止爪６３ａは前記溝３３の奥に係止孔３２ａがあるため深く嵌め込み係止爪６３が外から見えないように嵌める。その後に前記上部装飾部品６１の左右端のラップ部６４に前記左右装飾部品端部６５が被さるように係止する。
【００１８】
これにより、開閉パネル側の係止爪６３ａと係止孔３２ａが外から視認できなくなり、本来の意匠性を害するということを防止でき美観の向上となる。さらに、本発明の装飾部品の取付構造は、空気調和機の室内ユニットに限定されず、各種の機器の同様部分に応用することができる。
【図面の簡単な説明】
【００１９】
【図１】従来例および本発明に係る空気調和機の室内ユニットの斜視図。
【図２】本発明の開閉パネルが開いた状態を示めす図で、（ａ）は斜視図、（ｂ）は（ａ）のＸ部拡大図、（ｃ）は（ｂ）の装飾部品分解図。
【図３】本発明に係る図１のＡ−Ａ’拡大断面図。
【図４】従来例の開閉パネルが開いた状態を示めす図で、（ａ）は斜視図、（ｂ）は（ａ）のＹ部拡大図、（ｃ）は（ｂ）の装飾部品分解図。
【図５】従来例に係る図１のＡ−Ａ’拡大断面図。
【符号の説明】
【００２０】
１      空気調和機の室内ユニット
３      前面パネル
３１    段凹部
３２ａ  係止孔
３３    溝
４      開閉パネル
６      装飾部品
６１    上部装飾部品
６２    左右装飾部品
６３    係止爪
【図１】
2010065956.tif 000003
【図２】
2010065956.tif 000004
【図３】
2010065956.tif 000005
【図４】
2010065956.tif 000006
【図５】
2010065956.tif 000007